Podtech/llm-jp-corpus-v4-ja_patent huggingface dataset:
(57)【要約】【課題】本考案は、切り取り線やミシン目どおりに切れるように、また、保持具の回転をおさえることなく、さらに、クリーナー用粘着テープの切り取り始端部を摘みやすくする。【解決手段】本考案は、クリーナー用粘着テープ１に貼り付けた始端部剥がし具３を引き上げると最上層の始端部５が下層と剥がれ摘みやすくなる。切り取り始めから終わりにかけて徐々に角度を増した切り込みは全体的形状が曲線状の切り取り線２であり、始端部５から切り取り始めると保持具４の回転を利用して切り取り線どおりに終端部６まで切り取ることができる。【選択図】図１
0003122616.tif 000002
【実用新案登録請求の範囲】
【請求項１】
切り取り始めは回転方向に対し適度な角度をつけた切り込みを設け、次の切り込みにはさらに角度を増したものを設け、切り込みの全体的形状が曲線状の切り取り線を設けたクリーナー用粘着テープ。
【請求項２】
クリーナー用粘着テープ端部の最上層を下層から剥がし摘みやすくするための端部剥がし具
【考案の詳細な説明】
【技術分野】
【０００１】  本考案は、曲線状切り取り線付クリーナー用粘着テープ及び端部剥がし具に関するものである。
【背景技術】
【０００２】  従来のクリーナー用粘着テープでは、回転軸に対してほぼ平行な切り取り線やミシン目が入っているものがほとんどであった。
【考案の開示】
【考案が解決しようとする課題】
【０００３】  従来のクリーナー用粘着テープでは、切り取り線やミシン目が回転軸に対してほぼ平行なため、必ずしもその切り取り線やミシン目どおりに切れない場合が多かった。
また、切り取る際にそのテープの回転をおさえなければ切り取り線どおりに切り取ることができなかった。
さらに、クリーナー用粘着テープの最上層とその次の下層との隙間が密のためにクリーナー用粘着テープ端部が摘みにくく手間がかかっていた。
前述の欠点を解決しようとするものである。
【課題を解決するための手段】
【０００４】  上記課題を解決するために、本考案において、クリーナー用粘着テープの切り取り始まり端部に貼り付けてある始端部剥がし具を引き上げるとその最上層の始端部が剥がれ、それを摘んで保持具の回転を利用しながら切り取り始端部から終端部まで全体的形状が曲線状の切り取り線にそって切り取ることで問題を解決する。
【考案の効果】
【０００５】  本考案は、上記の様に構成されているので、引き剥がす際にクリーナー用粘着テープの回転を利用しながら切り取り線のどおりに切り取ることができ、さらに、端部剥がし具により容易にクリーナー用粘着テープ端部が摘みやすくなる。
【考案を実施するための最良の形態】
【０００６】  クリーナー用粘着テープの切り取りが始まる端部に貼り付けてある剥がし具を引き上げるとその始端部が下層から剥がれるため、剥がれた最上層を摘んで切り取りが開始される。切り取り始めの切り込み角度を始端部剥がし具が引き上げられた際にその始端部が引きちぎれないような回転方向に対する適度な角度を持たせ、その次からの切り込みは切り取り終端部になるに従って徐々に角度を増加させているため切り取り線自体の全体的形状は曲線状となる。さらに、切り込みと切り込みをオーバーラップさせるがそれぞれの切り込み角度が前述の様に徐々に角度が増加するためオーバーラップした部分に幅の差ができ、せん断に弱い箇所を作りそこから切れるようにしたため、下層から剥がれた始端部を引っ張ることにより保持具の回転が発生し、それを利用することで終端部まで切り取ることが可能となる。そして、次の使用のために始端部剥がし具をクリーナー用粘着テープ始端部に設けた部分に貼り付ける。この始端部剥がし具は、クリーナー用粘着テープの表面に貼り付けるため、薄いもので作成され、また、始端部を下層から剥がした後は始端部と始端部剥がし具が上層と容易に剥がせるようなものでなければならず、そして、始端部剥がし具自体はクリーナー用粘着テープ本体またはその保持具に固定あるいは接着でるものとする。
【実施例】
【０００７】  以下、添付図面に従って説明する。  １はクリーナー用粘着テープ本体、２は切り取り始めでは回転方向に対して始端部分がちぎれないような適度な角度を持たせ、終端部に近づくに従って徐々に角度を増加させ、オーバーラップしている部分の幅に差ができるようにした全体的形状が曲線状の切り取り線、３は切り取り始端部を摘みやすくするための始端部剥がし具でクリーナー用粘着テープ本体またはその保持具に固定あるいは接着されていおり、粘着面と適度に剥がれやすく薄いもの、４はクリーナー用粘着テープを使用するときに回転させることができる保持具、５はクリーナー用粘着テープの切り取りが始まる端部、６はクリーナー用粘着テープの切り取りが終了する端部である。
【図面の簡単な説明】
【０００８】
【図１】本考案の実施例を示す斜視図である。
【図２】本考案の実施例を示す正面図である。
【符号の説明】
【０００９】  １  クリーナー用粘着テープ
２  切り取り線
３  始端部剥がし具
４  クリーナー用粘着テープ保持具
５  始端部
６  終端部
【図１】
0003122616.tif 000003
【図２】
0003122616.tif 000004
【手続補正書】
【提出日】平成18年3月13日(2006.3.13)
【手続補正１】
【補正対象書類名】実用新案登録請求の範囲
【補正対象項目名】請求項２
【補正方法】変更
【補正の内容】
【請求項２】
クリーナー用粘着テープ端部の最上層を下層から剥がし摘みやすくするための端部剥がし具を設けたことを特徴とする請求項１記載のクリーナー用粘着テープ。
(57)【要約】      （修正有）【課題】正装したときなど汗を拭きにくいので、汗を拭かなくても快適に過ごせるようにする。【解決手段】高吸水性の汗取りパットであって、複数層からなる該パットの少なくとも一層に紙からなる織物を使用し、該紙からなる織物がパット全体の50％以上含むことを特徴とする汗取りパット【選択図】図１
0003122619.tif 000002
【実用新案登録請求の範囲】
【請求項１】
紙からなる織物を５０％以上使用していることを特微とする、高吸水性汗取りパット。
【考案の詳細な説明】
【技術分野】
【０００１】
本考案は、衣服の下に着用する、吸収性の良い汗取りパットである。
【背景技術】
【０００２】
従来は、汗を吸取らない素材とか、吸収しても上着にまで汗がしみだす事もあった。
【考案の開示】
【考案が解決しようとする課題】
【０００３】
紙からなる織物を５０％以上使用していることを特微とする、吸水性の良い素材を使用する。
【課題を解決するための手段】
【０００４】
紙からなる織物を５０％以上使用していることを特微とする、高吸水性汗取りパット。
請求項１記載のパットは、汗取りパットである。
【考案の効果】
【０００５】
汗をかく事が予想される時、肌着の上に本考案の汗取りパットを着用し、衣服を身につければ、汗をかいても汗を吸収するため、衣服がしみになり難く、痛みにくい。又は、汗に濡れた下着で風邪を引きやすい人は、それを防ぐ事ができる。その他、必要とする場合この素材を活用することが出来る。
【考案を実施するための最良の形態】
【０００６】
紙からなる織物を５０％以上使用している吸水性の良い素材である。本考案の汗取りパットは幅の狭い紙をそのまま織物にする方法、幅の狭い紙に撚りを与えて糸状にした後織物にする方法、前記糸状の紙を他の繊維例えば綿糸や合成繊維と交撚する方法、交織して織物にすることでも良い。本考案の汗取りパットを使用する位置は、袷などに代表される肌に近い衣類、または衣類に部分的に付ける方法でも良い。その付ける方法として簡単に付けることができる方法、例えば粘着テープによる接着で止めることができる。腰回りの汗取りが必要な場合は、本考案の腰回り用を着用する。締め付け方法は、粘着テープによる接着で、腰幅に合わせて止める。本考案の素材、その他の理由により、直接地肌着用が好ましくない場合、肌着の上に着用しても可能である。
【図面の簡単な説明】
【０００７】
【図１】本考案の一実施例を示す左前身頃を広げた平面図である。
【図２】本考案の一実施例を示す腰回り用の平面図である。
【図３】本考案の一実施例を示す腰回り用の立面図である。
【符号の説明】
【０００８】
１    右前身頃
２    左前身頃
３    後ろ身頃
４    一方の粘着テープ
５    もう一方の粘着テープ
６    腰周りの汗取り
７    腰周りの汗取りを締る粘着テープ
【図１】
0003122619.tif 000003
【図２】
0003122619.tif 000004
【図３】
0003122619.tif 000005
【手続補正書】
【提出日】平成18年4月11日(2006.4.11)
【手続補正１】
【補正対象書類名】実用新案登録請求の範囲
【補正対象項目名】全文
【補正方法】変更
【補正の内容】
【実用新案登録請求の範囲】
【請求項１】
高吸水性の汗取りパットであって、複数層からなる該パットの少なくとも一層に紙からなる織物を使用し、該紙からなる織物がパット全体の50％以上含むことを特徴とする汗取りパット。
【手続補正２】
【補正対象書類名】明細書
【補正対象項目名】全文
【補正方法】変更
【補正の内容】
【考案の詳細な説明】
【技術分野】
【０００１】
本考案は衣類の下に着用する吸水性の良い汗取りパットである。
【背景技術】
【０００２】
従来は吸水性のない物や吸水性があっても吸水性が十分でなく汗が染み出すこともあった。
【考案の開示】
【考案が解決しようとする課題】
【０００３】
吸水性能が高く、暑いときでも汗が染みないパットを提案する。
【課題を解決するための手段】
【０００４】
本考案の課題は高吸水性の汗取りパットであって、複数層からなる該パットの少なくとも一層に紙からなる織物を使用し、該紙からなる織物がパット全体の50％以上含むことを特徴とする汗取りパットによって達成できる。
【考案の効果】
【０００５】
汗をかくことが予想されるとき肌着の上に本考案の汗取りパットを着用し、衣服を身につければ汗をかいても十分に汗を吸収するため、衣服に染みることが無く、衣服も傷みにくい。同時に、汗をかくことによって、風邪を引くなどの健康を害することもあるが、本考案の汗取りパットを着用することによって健康を害することも防ぐことができる。
【考案を実施するための最良の形態】
【０００６】
本考案の汗取りパットは複数の層からなっており、少なくともその一層に紙からなる織物が使用されており、紙からなる織物の重量当たりの含有率は５０％以上であることが必要である。紙の含有率が高いほど吸水性は向上し、吸水機能の面からは好ましいのであるが引っ張り強度などの物理特性の面からは好ましくない。従って、吸水性と物理特性の両面を満足する紙の含有率は６０％以上８０％以下が好ましい。
【０００７】
該パットの層数は３層が好ましい。例えば紙からなる織物を中心部に位置し、それを挟む形で紙以外の例えば、綿製の織物を使用することができる。この素材は特に限定されないが吸水性の高い素材を使用することが好ましい。
本考案の汗取りパットを使用する位置は袷などに代表される肌に近い衣類などの衣類の一部に取り付ける方法でも良い。衣類に取り付ける方法は限定される物ではないが、面ファスナーや粘着テープなどを適用することができる。
【図面の簡単な説明】
【０００８】
【図１】本校案の一実施例を示す前身ごろを拡げた平面図
【図２】本校案の一実施例を示す腰回り用の平面図である
【図３】本校案の一実施例を示すパットの構造を示す図である
【符号の説明】
【０００９】
１    右前身ごろ
２    左前身頃
３    後身ごろ
４    一方の粘着テープ
５    他方の粘着テープ
６    腰回りの汗取り
７    腰回りの汗取りを締める粘着テープ
８    消臭加工した不織布
９    吸水パイル
１０    紙からなる織物
１１    透湿防水布
【手続補正４】
【補正対象書類名】図面
【補正対象項目名】全図
【補正方法】変更
【補正の内容】
【図１】
0003122619.tif 000006
【図２】
0003122619.tif 000007
【図３】
0003122619.tif 000008
(57)【要約】      （修正有）【課題】衝撃に外れにくく、使用年数が経過しても、テーブルの高さが合わずガタつきなどの不具合が生じることがないテーブル用折りたたみ脚のアジャスター機構付キャップを提供する。【解決手段】テーブルの脚が床接地面にいくに従い細くなっている構造を利用し、キャップにエラ状突起物２を設けることで一度取り付けると外れることがないようにした。また、高さ調整用のアジャスター機構を加えることで、使用年数の経過におけるテーブル用折りたたみ脚の角度のずれによるガタつきなどに対応できるようにした。これらの機能によって、キャップの紛失や、紛失に伴い脚本体が床を傷つけることを防止することができる。【選択図】図４
0003122611.tif 000002
【実用新案登録請求の範囲】
【請求項１】
テーブル用折りたたみテーブル脚の下端に取り付け可能であるとともに、螺合調節により高さ調整が可能な調整機構がついたアジャスターであって、一度取り付けると外れることのないことを特徴とするテーブル用折りたたみ脚のアジャスター機構付キャップ。
【請求項２】
前記キャップにはプラスティック製エラ状の外れ止めが設けられており、床接地面に従い細くなっている構造のスチール製テーブル用折りたたみ脚の内部で固定することを特徴とするテーブル用折りたたみ脚のアジャスター機構付キャップ。
【考案の詳細な説明】
【技術分野】
【０００１】  この発明は、テーブル等に用いるパイプ状スチール製折りたたみ脚のキャップの形状に関する。
【背景技術】
【０００２】  従来のテーブル等に用いるパイプ状スチール製折りたたみ脚のキャップは図８に示すように、テーブル用折りたたみ脚本体５の下部床接地面にキャップ７を上部から被せるだけのものである。
【考案の開示】
【考案が解決しようとする課題】
【０００３】  しかしながら、以上の技術によれば、キャップが外れやすく、特にプラスティック製であることから、わずかな衝撃でも破損し外れてしまうことが多かった。また、脚本体下部の床接地面に上から被せてあるだけなので、簡単にはずすことができた。それに加え高さ調整などの機能もないため、使用年数が進むとガタつき等が起きる事もあった。
【課題を解決するための手段】
【０００４】  本考案は以上のような点を鑑み考案されたものであり、キャップ本体上部にエラ状の突起物の外れ止めを設けることにより、テーブル用折りたたみ脚内部からキャップが外れないようにすることを特長とするものである。【０００５】  また、キャップ本体下部には高さ調整用のアジャスターを取り付けてあることを特長とするものである。
【考案の効果】
【０００６】  この発明によれば、テーブル用折りたたみ脚のキャップに外れ止めを設けてあるのでキャップが外れにくく、また下部に設置された高さ調整用アジャスターによりガタつきを防止できる。
【考案を実施するための最良の形態】
【０００７】  この考案の一実施形態を、図４に示す。
テーブル用折りたたみ脚５はパイプ状スチール製であり、床接地面に行くに従い細くなっていく円錐状を特徴としており、テーブル用折りたたみ脚のアジャスター付キャップ１は図１に示すとおり、キャップ本体１およびアジャスター底部はプラスティック製であり、アジャスター用ボルト４はスチール製である。このテーブル用折りたたみ脚５の下部、床接地面にキャップが設けられる。テーブル脚５が下部に向かっていくに従い細くなっていく形状を利用し、キャップのエラ状突起物２でテーブル用折りたたみ脚とキャップを接合、固定する。
【実施形態の効果】
【０００８】  この実施形態によれば、エラ状の突起物２の働きで、一度取り付けると簡単には外れにくくなり、輸送中や使用中での脱落、紛失などを防止でき、高さ調整用アジャスターの働きでガタつきもなくなり、またキャップ本来の目的である床接地面のフローリングやカーペットなどの傷つき防止効果も安定する。
【図面の簡単な説明】
【０００９】
【図１】本考案の上部からの斜視図である。
【図２】本考案の実施例に係るアジャスターを伸ばした状態の正面図である。
【図３】本考案の実施例に係るアジャスターを縮めた状態の内部構造図である。
【図４】本考案をテーブル脚に取り付けた状態を示す説明図である。
【図５】本考案をテーブル脚に取り付ける前の状態を示す斜視図である。
【図６】テーブルとして機能している全体の斜視図である。
【図７】従来のテーブル用折りたたみ脚のキャップの斜視図である。
【図８】従来のテーブル用折りたたみ脚のキャップを折りたたみ脚に取り付けた状態の斜視図である。
【符号の説明】
【００１０】      １  キャップ本体
２  エラ状突起物・・・外れ止め
３  アジャスター本体
４  アジャスターのボルト
４−ａ  キャップ本体内部のアジャスターのボルト
５  テーブル用折りたたみ脚本体
６  テーブル本体
７  従来のキャップ
【図１】
0003122611.tif 000003
【図２】
0003122611.tif 000004
【図３】
0003122611.tif 000005
【図４】
0003122611.tif 000006
【図５】
0003122611.tif 000007
【図６】
0003122611.tif 000008
【図７】
0003122611.tif 000009
【図８】
0003122611.tif 000010
【手続補正書】
【提出日】平成18年3月13日(2006.3.13)
【手続補正１】
【補正対象書類名】実用新案登録請求の範囲
【補正対象項目名】請求項２
【補正方法】変更
【補正の内容】
【請求項２】
テーブル用折りたたみ脚の下端に取り付け可能であるとともに、螺合調節により高さ調整が可能な調整機構がついたアジャスターであって、一度取り付けると外れることのないことを特徴とする請求項１に記載のテーブル用折りたたみ脚のアジャスター機構付キャップにはプラスティック製エラ状の外れ止めが設けられており、床接地面に行くに従い細くなっている構造のスチール製テーブル用折りたたみ脚の内部で固定することを特徴とするテーブル用折りたたみ脚のアジャスター機構付キャップ。
(57)【要約】      （修正有）【課題】自動車車体修復作業におけるボデー側パネル、パネル（補給部品）の接着において、接着剤による接着面の安定接着と接着力を減衰することなく、作業効率、安全性、耐久性の向上を図り、車体外面よりボデー側パネル、パネル（補給部品）間を接着する間の一時固定を容易にできるようにする木契工法を提供する。【解決手段】自動車車体修復作業におけるボデー側パネル、パネル（補給部品）４の両者一方を外部より、楔パーツ１にて一時溶接固定を行い、楔パーツ２を打ち込むことによって、接着剤よる安定接着に要するまでの間を容易に固定するようにした。【選択図】図３
0003122607.tif 000002
【実用新案登録請求の範囲】
【請求項１】
自動車車体修復において、ボデー側パネルとパネル（補給部品）を接着する際に、接着剤を塗布後、接着固定するまでの間、接着面が剥がれないよう楔パーツ１、２を用いて接着部位を確実に接着することを目的として考案。自動車車体修復作業における楔による固定工法である。楔パーツ１については、片側のパネルに溶接固定するものとし、楔パーツ１を溶接固定後、楔パーツ２を打ち込むことによって、接着剤による接着面の安定接着に効果をなすものである。
【考案の詳細な説明】
【技術分野】
【０００１】本考案は、自動車事故等によって車体が損傷を受けた部位のパネル（補給部品）交換作業における接着工法であり、接着固定方法の新考案である。楔パーツ１を溶接固定し、楔パーツ２を打ち込むことによって、接着面の安定接着に効果をなすものである。
【背景技術】
【０００２】従来は、パネル（補給部品）交換において、接着剤による固定が安定に終了するまでの間、固定方法には、楔を打ち込む固定工法はなかった。
【考案の開示】
【考案が解決しようとする課題】
【０００３】交換パネル（補給部品）を接着するために、接着剤を塗布し接着面を安定接着するために、リベット等をボデー側パネル、パネル（補給部品）間に打ち込み固定を行っていた。そのため、接着後には再度リベットの取り外し作業やリベット固定による穴あけの修復を行う作業が発生し、結果として、自動車車体修復作業の工程が複雑化し、安全性、作業効率、耐久性、品質等の低下という問題点があった。
【課題を解決するための手段】
【０００４】接着するボデー側パネル、パネル（補給部品）間において、接着剤塗布後、接着面が安定接着するまでの間、片側のパネルに外面より、一時溶接にて楔パーツ１を固定し、楔パーツ２を打ち込むことによって、接着剤による安定接着を行うこととした。
【考案の効果】
【０００５】接着するボデー側パネル、パネル（補給部品）の外面に楔パーツ１を一時的に溶接固定し、楔パーツ２を打ち込むだけの作業のため、これまでの自動車車体修復作業におけるドリルでの穴あけ、その後のリベット打ち、接着剤による安定接着後のリベット取り外し、リベット穴の修復等の一連の作業工程が排除されたことにより、自動車車体修復作業の安全性の向上、作業時間の大幅な短縮、修復車体の耐久性の向上が実現でき、高品質の自動車車体修復が実現できる。また、組み付けパネル作業では、楔パーツ１のみを使用し、パネルの「立て付け」「仮合わせ」作業を容易に行うことが実現できる。
【図面の簡単な説明】
【０００６】
【図１】楔パーツ１・２を使用した接着工法の拡大側面図である。
【図２】楔パーツを使用した自動車車体修における平面図である。
【図３】楔パーツ１・２を使用した接着工法の拡大立体図である。
【符号の説明】
１  楔パーツ１
２  楔パーツ２
３  ボデー側パネル
４  パネル（補給部品）
５  溶接固定部位
６  接着面
７  補強結合パネル
８  窓
【図１】
0003122607.tif 000003
【図２】
0003122607.tif 000004
【図３】
0003122607.tif 000005
【手続補正書】
【提出日】平成18年3月2日(2006.3.2)
【手続補正１】
【補正対象書類名】実用新案登録請求の範囲
【補正対象項目名】全文
【補正方法】変更
【補正の内容】
【実用新案登録請求の範囲】
【請求項１】
自動車車体修復におけるボデー側パネルとパネル（補給部品）を接着する際に、接着剤塗布後、パネル間が接着固定をするまでに要する時間を接着面が剥がれないよう安定接着を目的とした一時固定に用いるために考案した部品において、（１）楔パーツ１は、パネルと１点溶接固定が可能な部位を中央に配置し、この部位の片側には楔パーツ２を挿入できる空間と楔パーツ２の外れ防止のための凸部があり、もう片側には、楔パーツ２の挿入により楔パーツ１の浮き上がりを制限するために、中心部より外側にかけて溶接固定部位と同様の長さになるよう傾斜が施された部品、（２）楔パーツ２は、先端より後方にかけて幅が広がり、厚みも増す形状を成しており、楔パーツ１とパネル間に挿入する部品、以上からなる。
(57)【要約】      （修正有）【課題】ブラックシリカの最大の特徴である遠赤外線は人体の免疫抵抗力を高めるので、効率よく人体に吸収されるような形態にしたものである。【解決手段】ブラックシリカの小石を直接張ったり混ぜこんだりする事で更に蓄熱、放射の効果が向上する。コンクリ−ト板等を蓄熱層とする事で遠赤外線効果を少ないシリカ量でも長時間効果的に引き出すことができ、更に、裏側に熱源を配置することで体に優しい暖房となる。【選択図】図１
0003122609.tif 000002
【実用新案登録請求の範囲】
【請求項１】
ブラックシリカの粉末を樹脂で板状にしたブラックシリカ板にブラックシリカの石を骨材として混入したり直接張ったブラックシリカ板
【請求項２】
上記ブラックシリカ板の裏にコンクリ−ト板等蓄熱できるものを張った積層体
【請求項３】
ブラックシリカ板をパネルヒ−タ−等暖房機に張った暖房機
【請求項４】
上記ブラックシリカ板を壁などに張り裏側に温水パイプなど熱を発生するものを設置して壁全体から遠赤外線が放射されるようにした壁
【考案の詳細な説明】
【技術分野】
【０００１】本考案はブラックシリカの粉末を樹脂で板状にしたブラックシリカ板にブラックシリカの石を骨材として混入したり直接張ったブラックシリカ板
【背景技術】
【０００２】ブラックシリカの石を骨材として混入したり直接張る事でデザインにすぐれ且つ表面積が増えることで遠赤外線放射効率をあげることが出来る
【考案の開示】
【考案が解決しようとする課題】
【０００３】これまでより表面積が増え、石を張ることで波動効果が大きくなる
【課題を解決するための手段】
【０００４】ブラックシリカ板にブラックシリカの石を骨材として混入したり直接張る
【考案の効果】
【０００５】ブラックシリカの石が表面に石として形を残すことで表面積が増え、暖められた石が蓄熱し、効率よく遠赤外線を放射する。
【考案を実施するための最良の形態】
【０００６】１）ブラックシリカ板の裏にコンクリ−ト板等蓄熱できるものを張った積層体
２）ブラックシリカ板をパネルヒ−タ−等暖房機に張った暖房機
３）ブラックシリカ板を壁などに張り裏側に温水パイプなど熱を発生するものを設置して壁全体から遠赤外線が放射されるようにした壁
【産業上の利用可能性】
【０００７】１）ブラックシリカ板の裏にコンクリ−ト板等蓄熱できるものを張った積層体をサウナ室の壁に張ることで遠赤外線の効果で良く発汗し、除菌消臭効果もある
２）ブラックシリカ板をパネルヒ−タ−等暖房機に張る事で暖房機から体に優しい赤外線が放射される
３）ブラックシリカ板を壁などに張り裏側に温水パイプなど熱を発生するものを設置して壁全体から遠赤外線が放射されるようにする
【図面の簡単な説明】
【０００８】
【図１】請求項１の正面図と側面図である
【図２】請求項２の正面図と側面図である
【図３】請求項３の正面図と側面図である
【図４】請求項４の正面図と側面図である
【符号の説明】
【０００９】１  ブラックシリカの石
２  コンクリ−ト等の蓄熱層
３  暖房機
４  壁
５  熱源（温熱パイプ等）
【図１】
0003122609.tif 000003
【図２】
0003122609.tif 000004
【図３】
0003122609.tif 000005
【図４】
0003122609.tif 000006
【手続補正書】
【提出日】平成18年3月13日(2006.3.13)
【手続補正１】
【補正対象書類名】実用新案登録請求の範囲
【補正対象項目名】全文
【補正方法】変更
【補正の内容】
【実用新案登録請求の範囲】
【請求項１】
ブラックシリカの粉末を樹脂で板状にしたブラックシリカ板にブラックシリカの石を骨材として混入したり直接張ったブラックシリカ板
【請求項２】
請求項１のブラックシリカ板の裏にコンクリ−ト板等蓄熱できるものを張った積層体
【請求項３】
請求項１のブラックシリカ板をパネルヒ−タ−等暖房機に張った暖房機
【請求項４】
請求項１のブラックシリカ板を壁などに張り裏側に温水パイプなど熱を発生するものを設置して壁全体から遠赤外線が放射されるようにした壁
(57)【要約】      （修正有）【課題】温められた熱をなるべく長く風呂内に留め、風呂内で有効に吸収し省エネと焚く時間を短縮する。【解決手段】湯排出口にある既存のフタを取り除き、そこに本考案器を取り付ける。【選択図】図１
0003122602.tif 000002
【実用新案登録請求の範囲】
【請求項１】
風呂の湯排出口に、本考案器を取り付ける。
【考案の詳細な説明】
【考案の詳細な説明】
【０００１】［考案の属する技術分野］
この考案は、風呂釜の熱を効率よく有効に使用するための物である。
【０００２】［従来の技術］
従来の物は湯排出口にフタが有り、熱が風呂内に伝わりにくく、大部分外部に漏れている。
【考案が解決しようとする課題】
【０００３】本考案は、風呂外に漏れていた熱を、風呂内で使用し、省エネと時間短縮を図る。
【課題を解決するための手段】
【０００４】本考案は、湯排出口に有る既存のフタを取り除き、そこに本考案器を取り付け、熱を最大限有効に利用し、省エネと焚き時間を短縮する。
【０００５】［考案の実施の形態］
本考案器の、図２は左右移動自由で、大中小の風呂に合わせて調節し使用出来る。又図１の内造磁石８で、脱着が簡単に出来るので、入浴時には取り外しても良い。
【考案の効果】
【０００６】風呂焚く時、外部へ熱の流出が少ないので、省エネ時短効果大きい。
【図面の簡単な説明】
【０００７】
【図１】本考案器、使用中の斜視図
【図２】１の正面図、背面図
【図３】１の平面図、底面図
【図４】２の正面図、背面図
【図５】２の平面図、底面図
【図６】３の正面図、背面図
【図７】３の平面図、底面図
【図８】４の正面図、背面図
【図９】４の平面図、底面図
【図１０】５の正面図、背面図
【図１１】６の横面図
【符号の説明】
１  磁石を取り付けた脱着用パイプ
２  左右に移動できる長さ調節用パイプ
３  本器固定用磁石
４  磁石対応鉄板
５  鉄板を止めるネジ
６  ２の先端保護カバー
７  風呂の断面図
【図１】
0003122602.tif 000003
【図２】
0003122602.tif 000004
【図３】
0003122602.tif 000005
【図４】
0003122602.tif 000006
【図５】
0003122602.tif 000007
【図６】
0003122602.tif 000008
【図７】
0003122602.tif 000009
【図８】
0003122602.tif 000010
【図９】
0003122602.tif 000011
【図１０】
0003122602.tif 000012
【図１１】
0003122602.tif 000013
【手続補正書】
【提出日】平成17年11月18日(2005.11.18)
【手続補正１】
【補正対象書類名】実用新案登録請求の範囲
【補正対象項目名】全文
【補正方法】変更
【補正の内容】
【実用新案登録請求の範囲】
【請求項１】
風呂の湯排出口に取り付ける  省エネ・時短器であって、湯排出口に磁石で脱着する脱着用パイプと、この脱着用パイプに対し長さ方向に移動可能な調節用パイプとを備えている、風呂の省エネ・時短器。
(57)【要約】      （修正有）【課題】ピン及びボルト等棒状の両端に網、板を付けて清掃が簡単に行えるように防錆、耐水加工されたクリップで自然に外れることを防止しクーラー、エアコン等室内機の排水パイプから害虫ゴキブリの侵入を防ぐ機具の提供。【解決手段】害虫侵入防止機具は、排水口からの害虫の侵入を防ぐ網４を備えている。この害虫侵入防止機具は、網４の付いた害虫侵入防止部分をワイヤーの付いた部分を排水口側になるように挿入して、クリップ９を排水口の縁に挟挟む。なお、網４は排水口とほぼ平行にボルト２の全長を約５０ｍｍ程度とし、ボルト２の頭部を排水管の中心に網１０をボルト２の頭部近くにつけ、排水口と網４の平行を保つようにした。【選択図】図５
0003122606.tif 000002
【実用新案登録請求の範囲】
【請求項１】
室内に取り付けられたエアーコンディショナー及び、クーラーの室内機からでる水の排出は、建物の壁に穴をあけ外に捨てている。その為、建物の外にいる害虫の侵入を招いていた。室内機の排水口から害虫の侵入を防ぐ機具。（害虫はゴキブリを想定）
【考案の詳細な説明】
【技術分野】
【０００１】本考案は、室内機の排水口からの害虫の侵入を防ぐ機具に関する。
【背景技術】
【０００２】  従来では、害虫の侵入を考慮されていないで、放置されていた。
【考案の開示】
【０００３】  これでは、不快な害虫の侵入をゆるし、快適な生活を妨げることがあり、不愉快な思いをする。
【課題を解決するための手段】
【０００４】  そこで、排水口の出口に障害物を付け、害虫の侵入を防ぐことを考案した。（図４）
【０００５】  ただ、室内から出る埃や塵を時々取り除いたり、排水された水に対して、耐久性が求められ、考慮した。
【考案の効果】
【０００６】  よって、本考案の害虫侵入防止機具を使用することにより、不快な害虫の侵入を防ぐことができる。また、埃等が溜まっても適切な時に外して掃除をすることができる。
【考案を実施するための最良の形態】
【０００７】  本考案に係る害虫侵入防止機具は、図５に示すように排水口からの害虫の侵入を防ぐ網４を備えている。この害虫侵入防止機具は、網４の付いた害虫侵入防止部分をワイヤーの付いた部分を排水口側になるように挿入して、クリップ９を排水口の縁に挟めば挿入された害虫侵入防止部分は、容易に引き出せません。なお、網４は排水口とほぼ平行になるのが望ましく、そのためには、ボルト２の全長を約５０ｍｍ程度とし、ボルト２の頭部を排水管の中心となるのが望ましく、そのために、網１０をボルト２の頭部近くにつけ、排水口と網４の平行を保つようにした。【０００８】  掃除が簡潔に行えるように、クリップ９で着脱を容易にした。【０００９】  ワイヤー８を付けることで、排水口に挿入した害虫侵入防止部分を簡単に引き出せるようにした。【００１０】  網４の外径は、排水口の内径より１ｍｍ程度小さいのが望ましく、一般に普及されている室内機の排水口の内径を約１３．５ｍｍとすれば、網４と網１０の外径を１２．５ｍｍとすると害虫は侵入できません。また、網の目の大きさは、害虫の侵入を防げるものとします。【００１１】  排水管の大きさは、メーカーや室内機の出力によっても違うと考えられますが、排水口の内径が約１３．５ｍｍの物が多く普及していると考えられ、本考案の害虫侵入防止機具の普及が進めば対応する次第です。
【図面の簡単な説明】
【００１２】
【図１】  本考案に係る害虫侵入防止機具を示した図である。
【図２】  本考案に係る害虫侵入防止機具の分解を示した図である。
【図３】  本考案に係る害虫侵入防止機具を分解し、並べて上から見た図である。
【図４】  家、建物と室内機の略図と害虫を示した図である。
【図５】  本考案の害虫侵入防止機具によって、侵入を妨げられた害虫を示した図である。
【符号の説明】
【００１３】１    害虫侵入防止機具
２    ボルト
３    ナット
４    網
５    ナット
６    ワイヤー端用ワッシャー
７    ナット
８    ワイヤー
９    クリップ
１０  網
１１  ナット
Ａ    室内機
Ｇ    害虫（ゴキブリ）
Ｈ    排水ホース
Ｋ    家屋、建物
【図１】
0003122606.tif 000003
【図２】
0003122606.tif 000004
【図３】
0003122606.tif 000005
【図４】
0003122606.tif 000006
【図５】
0003122606.tif 000007
【手続補正書】
【提出日】平成18年2月14日(2006.2.14)
【手続補正１】
【補正対象書類名】実用新案登録請求の範囲
【補正対象項目名】全文
【補正方法】変更
【補正の内容】
【実用新案登録請求の範囲】
【請求項１】
ピン及びボルト等棒状の両端に網、板を付けて清掃が簡単に行えるように防錆、耐水加工されたクリップで自然に外れることを防止しクーラー、エアコン等室内機の排水パイプから害虫ゴキブリの侵入を防ぐ機具。
(57)【要約】【課題】廉価にして、本人のみの少しの力で肩および背の凝りをほぐすつぼを刺激する。【解決の手段】弾力性のある竿の中心部近くに、１対の鉄アレー型の重量のあるつぼ刺激部を付加し、これを首の後ろ側を挟むように肩に担ぎ、両手で、竿を揺らすことで、リズミカルに、本人の少しの力で、肩および背のつぼを刺激できる。【選択図】図４
0003122608.tif 000002
【実用新案登録請求の範囲】
【請求項１】
弾力性のある竿の中心部近くに固定した重量の大きい１対の鉄アレー型の肩及び背の凝りをほぐすつぼ刺激器。
【請求項２】
つぼ刺激の効果を大ならしめるために鉄アレー型のつぼ刺激部の中に、電熱装置を付加すること。
【考案の詳細な説明】
【技術分野】
【０００１】  本考案は、本人のみの力で、肩および背の凝りをほぐすつぼを刺激する道具に関する。
【背景技術】
【０００２】  従来、肩および背の凝りをほぐす方法として、他人の手を借りてほぐす方法と、機械や道具を使ってほぐす方法がある。機械を使う方法として、マッサージ椅子があるが高価である。【０００３】  道具としては、凝った部位のつぼを押すときに、本人の大きな力が必要である。
廉価で、本人のみの少しの力をてこの原理を利用して肩および背の凝りがほぐせる  道具はなかった。
【考案の解決しようとする課題】
【０００４】  廉価にして、本人のみの小さい力で容易に肩および背の凝りをほぐせる道具。
【課題を解決する手段】
【０００５】  そこで、刺激に必要な力を、つぼ刺激器の自重と竿によるてこの原理で作り出すことを考えた。
【考案の効果】
【０００６】  よって、この道具の重量のあるつぼ刺激部の自重が、つぼを押す力となり、また、つぼ刺激部につながる竿の長さがてこの原理となってつぼを押す力を大きくし、また、竿の弾性が、リズミカルに、つぼを押す力を加減するので、さらに、つぼ刺激部の中に温熱機能を付加することで、つぼの刺激を効果あらしめることができる。
【考案を実施するための最良の形態】
【０００７】  本考案によるつぼ刺激器は、刺激部を後ろ首側の両肩にに挟むようにするため、長さ約１２０センチメートル、直径約３センチメートルの弾力性のある竿の中心部近くに約１８センチメートルの間隔を取った１対の鉄アレー型の重量各約１００キログラム、その表面に１列の凸部を施した錘をつぼ刺激部とする。
【図面の簡単な説明】
【０００８】
【図１】使用時の竿の左側に付加する鉄アレー方のつぼ刺激部の平面図である。
【図２】同じく側面図である。
【図３】本考案の１対のつぼ刺激部を竿に付加し、実際使用しているときの上面図である。
【図４】同じく、実際利用しているときの正面図である。
【図５】同じく、実際使用しているときの側面図である
【符号の説明】
１：直径約４センチメートル、長さ約１０センチメートルの握りの両端に約５００グラムの球状の塊を持つ鉄アレー型のつぼ刺激部。
２：つぼ刺激部の表面に施された凸部。
３：つぼ刺激部１の中心部に至る溝に埋め込まれた電熱機能部。
４：電熱機能部３の保護カバー
５：電熱機能を調整するバイメタルと電力の入力端子。
６：つぼ刺激部１を支える弾力性に富む竿。
７：竿６につぼ刺激部１を咥えさせて連結固定する金具。
８：連結金具７を締め付けるねじ。
９：電熱器の入力端子５に電力を入力する外部コード。
１０：収納性を高めるために設けられた、竿６の継ぎ手部分。
【図１】
0003122608.tif 000003
【図３】
0003122608.tif 000004
【図４】
0003122608.tif 000005
【図５】
0003122608.tif 000006
【手続補正書】
【提出日】平成18年2月21日(2006.2.21)
【手続補正１】
【補正対象書類名】実用新案登録請求の範囲
【補正対象項目名】全文
【補正方法】変更
【補正の内容】
【実用新案登録請求の範囲】
【請求項１】
弾力性のある竿の中心部近くに固定し、刺激の効果を増加させるための電熱装置を内蔵したことを特徴とする一対の鉄アレー型の肩及び背の凝りをほぐすつぼ刺激器。
【手続補正２】
【補正対象書類名】図面
【補正対象項目名】図１
【補正方法】変更
【補正の内容】
【図１】
0003122608.tif 000007
【手続補正３】
【補正対象書類名】図面
【補正対象項目名】図２
【補正方法】変更
【補正の内容】
【図２】
0003122608.tif 000008
【手続補正４】
【補正対象書類名】図面
【補正対象項目名】図３
【補正方法】変更
【補正の内容】
【図３】
0003122608.tif 000009
【手続補正５】
【補正対象書類名】図面
【補正対象項目名】図４
【補正方法】変更
【補正の内容】
【図４】
0003122608.tif 000010
【手続補正６】
【補正対象書類名】図面
【補正対象項目名】図５
【補正方法】変更
【補正の内容】
【図５】
0003122608.tif 000011
(57)【要約】      （修正有）【課題】自動車が動くことによって空気中のアスベスト・排気ガス中の物質等の化学物質を取り除く方式を提供する。【解決手段】環境破壊の元凶のように思われている自動車が動くことによってこれらの物質を取り除くことが出来るものであり、自動車のエンジンルーム・トランクルーム・ボディ空間にフィルター付きの装置を取り付けそのフィルターを定期的に交換することによって物質を除去する方法である。人口密集地域では工場・建物・自動車から出る化学物質は大量であるが、運行している自動車も大量である為、空気浄化の効果は多大である。【選択図】図２
0003122605.tif 000002
【実用新案登録請求の範囲】
【請求項１】
自動車に空気浄化装置を取り付け自動車が動くことによって空気中の有害物質を取り除く方式である。
【考案の詳細な説明】
【技術分野】
【０００１】自動車が動くことによって空気中のアスベスト・排気ガス中の物質等の化学物質を取り除く方式である。
【背景技術】
【０００２】従来は自動車の車内の空気を清浄する為に空気清浄機を取り付けたが車内用の空気清浄だけでなく環境を悪くする大気中の物質を自動車が動くことによって除去し、環境汚染を抑制するものである。
【考案の開示】
【考案が解決しようとする課題】
【０００３】現在の環境問題で大気汚染の物質の主流であるアスベスト・ディーゼルの排ガス内の粒状物質・ディーゼル排気微粒子等が空気中に多く飛散している現状では、除去の為に室内に空気清浄機等を取り付けるか雨による浄化以外に空気中の有害物質を除去することはできない。
【課題を解決するための手段】
【０００４】環境破壊の元凶のように思われている自動車が動くことによってこれらの物質を取り除くことが出来るものであり、自動車のエンジンルーム・トランクルーム・ボディ空間にフィルター付きの装置を取り付けそのフィルターを定期的に交換することによって物質を除去する方法である。
【考案の効果】
【０００５】現在日本で運行されている自動車は約７０００万台で自動車には車検制度がありフィルターを取り替える義務を課せれば強制的にフィルターが交換され、その自動車が運行することによって空気を浄化することが出来れば野放しでお手上げ状態の空気中の有害物質を除去することが出来るという画期的な方法である。
【実施例】
【０００６】自動車のエンジンルーム・トランクルーム・ボディ空間にフィルターを付け空気の流れにより化学物質をフィルターに付着させ除去させる。空気流通の動力源はバッテリー・ソーラー電源・自動車のエンジン始動により発生する動力源・走行による自然流入を使う。
0003122605.tif 000003
【手続補正書】
【提出日】平成18年1月19日(2006.1.19)
【手続補正１】
【補正対象書類名】実用新案登録請求の範囲
【補正対象項目名】全文
【補正方法】変更
【補正の内容】
【実用新案登録請求の範囲】
【請求項１】
自動車に空気浄化装置を車載し自動車の走行により空気中の有害物質をフィルターに附着させ除去することを特徴とする自動車。
【手続補正２】
【補正対象書類名】明細書
【補正対象項目名】全文
【補正方法】変更
【補正の内容】
【考案の詳細な説明】
【技術分野】
【０００１】自動車が動くことによって空気中のアスベスト・排気ガス中の物質等の化学物質を取り除く方式である。
【背景技術】
【０００２】従来は自動車の車内の空気を清浄する為に空気清浄機を取り付けたが車内用の空気清浄だけでなく環境を悪くする大気中の物質を自動車が動くことによって除去し、環境汚染を抑制するものである。
【考案の開示】
【考案が解決しようとする課題】
【０００３】現在の環境問題で大気汚染の物質の主流であるアスベスト・ディーゼルの排ガス内の粒状物質・ディーゼル排気微粒子等が空気中に多く飛散している現状では、除去の為に室内に空気清浄機等を取り付けるか雨による浄化以外に空気中の有害物質を除去することはできない。
【課題を解決するための手段】
【０００４】環境破壊の元凶のように思われている自動車が動くことによってこれらの物質を取り除くことが出来るものであり、自動車のエンジンルーム・トランクルーム・ボディ空間にフィルター付きの装置を取り付けそのフィルターを定期的に交換することによって物質を除去する方法である。
【考案の効果】
【０００５】現在日本で運行されている自動車は約７０００万台で自動車には車検制度がありフィルターを取り替える義務を課せれば強制的にフィルターが交換され、その自動車が運行することによって空気を浄化することが出来れば野放しでお手上げ状態の空気中の有害物質を除去することが出来るという画期的な方法である。
【実施例】
【０００６】自動車のエンジンルーム・トランクルーム・ボディ空間にフィルターを付け空気の流れにより化学物質をフィルターに付着させ除去させる。空気流通の動力源はバッテリー・ソーラー電源・自動車のエンジン始動により発生する動力源・走行による自然流入を使う。
【図面の簡単な説明】
【０００７】
【図１】本考案の使用状態の平面図である。
【図２】本考案の使用状態の側面図である。
【図３】本考案の空気浄化装置の構造である。
【図４】空気浄化装置の電気回路図である。
【符号の説明】
【０００８】  １  車載空気浄化装置
２  スイッチ
３  空気の流れ
４  表面パネル
５  一次フィルター
６  二次フィルター
７  ファン
８  吸入口
９  電源コネクタ
１０  シロッコ型ファン
１１  フロ−型ファン
１２  ヒューズ
１３  車載バッテリー
【手続補正３】
【補正対象書類名】図面
【補正対象項目名】全図
【補正方法】変更
【補正の内容】
【図１】
0003122605.tif 000004
【図２】
0003122605.tif 000005
【図３】
0003122605.tif 000006
【図４】
0003122605.tif 000007
(57)【要約】      （修正有）【課題】腹部・腰回り・臀部をカバーし、冷え性や腰痛の予防・手当てをする保温機能、健康促進を可能にするエプロンの提供。【解決手段】裏地に遠赤外線素材布を用い、表地と裏地、中間に保温材を入れる。腹部・腰回り・臀部をカバーできるように形成し、衣服の上から装着することにより着脱が容易である。遠赤外線の効果で冷え性や腰痛などの予防・手当てに最適な保温機能と健康促進が可能となる。裏地には自由な位置に粘着性保温シートが貼付でき、お腹・腰の経路（ツボ）の位置に貼付すると保温機能がより高まり腰回りの冷え性の解消等に効果を発揮する。夏季のクーラーの冷え予防対策にも応用できる。【選択図】図１
0003122627.tif 000002
【実用新案登録請求の範囲】
【請求項１】
遠赤外線素材布を裏地に具備することを特徴とするエプロン。
【請求項２】
、表地と遠赤外線素材布を具備した裏地と中間の保温材で腹部・腰回り・臀部をカバーできるように形成し、使用者の体調にあわせ粘着性保温シートを裏地の腹部・腰回り・臀部の経路（ツボ）の位置に貼付し、より保温機能を高め健康促進を可能にすることを特徴とするエプロン。
【考案の詳細な説明】
【考案の詳細な説明】
【技術分野】
【０００１】本考案は、保温機能と健康促進を図る様に遠赤外線素材布を裏地に具備したエプロンに関するものである。
【背景技術】
【０００２】従来のエプロンは、１枚の生地でできていて腹部・腰回り・臀部をカバーし、冷え性や腰痛の予防・手当てをする保温機能がなく、健康促進を図るものではなかった。腹部・腰回りの保温性を保持する従来からある腹巻は、着脱が容易ではない。
【考案の開示】
【考案が解決しようとする課題】
【０００３】本案は、表地と遠赤外線素材布の裏地、中間の保温材で腹部・腰回り・臀部をカバーできるように形成する。衣服の上から装着することにより着脱が容易になる。冷え性や腰痛などの予防・手当てに最適な保温機能と身体の健康促進が可能となり、前述の欠点を解決しようとするものである。
【課題を解決するための手段】
【０００４】本考案は、表地と裏地になっていて裏地に遠赤外線素材布を具備し、中間に保温材を入れる。太ももの付け根から腹部・腰回り・臀部をカバーできるように横長に形成する。両左右の上端部分の方が下端部分より長く、下端部分は、合わせの部分が重ならない様にする。面ファスナーを片側は表地に、片側は裏地に付ける。裏地の腰の経路（ツボ）や冷えの位置に粘着性保温シートを貼付する。裏地の遠赤外線素材布の保温機能効果と着脱が簡単で、着用時動きやすい形成であり、且つ、動いても粘着性保温シートの貼付位置がづれないで身体を温め、効果的な保温機能と健康促進が可能で問題点を解決している。
【考案の効果】
【０００５】上記のように本考案は、エプロンの裏地に遠赤外線素材布を具備し、腹部・腰回り・臀部を同時にカバーする形成にした為、暖房できない仕事場、過度な暖房をしないオフィス等で働く人、主婦などの冷え性や腰痛を予防・手当てする保温機能と健康促進を可能にする。裏地には自由な位置に粘着性保温シートを貼付でき、経路（ツボ）の位置に貼付すると保温機能がより高まる。衣服の上から着衣するので粘着性保温シートによる低温火傷は、避けられる。夏季のクーラーの冷え予防対策にも応用できる。
【図面の簡単な説明】
【０００６】
【図１】本考案の全体図
【図２】断面図部分
【図３】着用状態前後
【符号の説明】
【０００７】１本体
２表地
３遠赤外線素材布の裏地
４保温材
５面ファスナー
６ゴム
７粘着性保温シート
８バイアステープ
【図１】
0003122627.tif 000003
【図２】
0003122627.tif 000004
【図３】
0003122627.tif 000005
(57)【要約】      （修正有）【課題】煙草箱と煙草を吸う為の必需品を切り込みに取り付ける事によって常時かつ同時に共有できる利便性は大である。【解決手段】煙草箱の外味の表面に切り込みを入れる。【選択図】図１
0003122630.tif 000002
【実用新案登録請求の範囲】
【請求項１】
煙草箱の外味に切り込みを入れた煙草の箱。
【考案の詳細な説明】
【考案が解決しようとする課題】
【０００１】煙草箱と煙草を吸う為の必需品を常時かつ同時に共有出来る様にするには、どのようにしたらいいか問題点があった。
【課題を解決するための手段】
【０００２】この煙草箱は、煙草を吸う為の必需品を取り付ける為、図１に示す様、煙草箱の外味に切り込みを入れた煙草の箱である。
【考案の効果】
【０００３】煙草箱と煙草を吸う為の必需品を常時かつ同時に共有する利便性が大である。
【図面の簡単な説明】
【図１】煙草箱の外味
【符号の説明】
「図１」
１  煙草箱の外味の表面
２  外味に切り込みを入れる
【図１】
0003122630.tif 000003
(57)【要約】【課題】肩ベルトを使用して、重い鞄をたすき掛けで背負う場合、肩ベルトの長さを短く調節する事により鞄の重心が体に密着するなどの理由から、体への負担が大きく軽減される。しかし肩ベルトが短いままでは、鞄を背負ったり、おろしたりする際の動作がスムーズに行えず不便であった。そこで、本考案により、鞄をたすき掛けで背負ったままの長さ調節が、自在に出来るようにする。【解決手段】先端部分に厚みを設けた調節ベルトを、長さ調節用の器具（通常「コキカンと称されている」）を介して、鞄をたすき掛けで背負ったままでは長さ調節が困難だった、従来の鞄用肩ベルトの問題点を解決した。【選択図】図１
0003122623.tif 000002
【実用新案登録請求の範囲】
【請求項１】
先端部分に厚みを設けた調節ベルトを、長さ調節用の器具を介して、鞄をたすき掛けで背負いながら、長さ調節を自在に出来るようにした鞄用肩ベルト。
【考案の詳細な説明】
【技術分野】
【０００１】
本考案は、鞄をたすき掛けで背負ったまま、自在に長さ調節が可能な、鞄用肩ベルトに関するものである。
【背景技術】
【０００２】
従来の鞄用肩ベルトにも長さ調節機能があるが、それは体型に合わせて調節する性格のものであり、たすき掛けで背負ったままの長さ調節は困難であった。
【考案の開示】
【考案が解決しようとする課題】
【０００３】
肩ベルトを使用して、重い鞄をたすき掛けで背負う場合、肩ベルトの長さを短く調節する事により鞄の重心が体に密着するなどの理由から、体への負担が大きく軽減される。
【０００４】
しかし肩ベルトが短いままでは、鞄を背負ったり、おろしたりする際の動作がスムーズに行えず不便であった。そこで、鞄をたすき掛けで背負ったまま、長さ調節を自在に出来る考案が求められていた。
【０００５】
従来の肩ベルトにも、長さ調節機能があるが、それは体型に合わせ調節する性格のものであり、たすき掛けで背負ったままの長さ調節は困難であった。
【課題を解決するための手段】
【０００６】
先端部分に厚みを設けた調節ベルトを、長さ調節用の器具（通常「コキカンと称されている」）を介して、鞄をたすき掛けで背負ったままでは長さ調節が困難だった、従来の鞄用肩ベルトの問題点を解決した。
【考案の効果】
【０００７】
本考案を使用する事により、鞄をたすき掛けで背負いながら肩ベルトの長さ調節が自在に出来るので、体への負担が軽減される。
【考案を実施するための最良の形態】
【０００８】
先端部分に厚みを設けた調節ベルトを、長さ調節用の器具（通常「コキカンと称されている」）を介して、長さ調節を自在に出来る鞄用肩ベルトとした。
【実施例】
【０００９】
以下、添付図面に従って一実施例を説明する。図１は考案を実施済みの鞄用肩ベルト３である。
【００１０】
まず、図２のように鞄本体４をたすき掛けで軽く抱えながら、反対の手で長さ調節ベルトの先端部分１を適当な長さになるまで引く。尚、先端部分に厚みを設け、コキカンから抜け落ちないようにしてある。
【００１１】
その後、鞄本体４を体の背中面にずらし歩行する。
【００１２】
鞄をおろす際に肩ベルト３の長さをを伸ばす方法は、やはり図２のように、鞄本体４をたすき掛けで軽く抱えながら、反対の手で、今度はコキカン２を持ち上げ、ベルトが適当な長さになるまで伸ばす。
【図面の簡単な説明】
【００１３】
【図１】本考案を実施済みの鞄用肩ベルトである。
【図２】本鞄用肩ベルトの使用例の図である。
【符号の説明】
【００１４】
１  長さ調節ベルトの先端部分
２  長さ調節用器具（通常「コキカンと称される」）
３  本考案を実施済みの鞄用肩ベルト
４  鞄本体
【図１】
0003122623.tif 000003
【図２】
0003122623.tif 000004